(57)【要約】【課題】操作ステップを簡略化し、構成部材を簡素化して生産コストを削減し、安全保護及びリサイクル防止の必要な基本機能を達成する使い捨て安全注射器を提供する。【解決手段】両側に開口のある空心筒状体であり、第一出口箇所１１及び第二出口箇所１２を設け、第一出口箇所１１の外側縁には突出部１３を有し、内側縁には内側歯ユニット１４を設ける外筒１と、第一開口２１及び第二開口２２を設け、外筒１の内側縁に組み合わせる空心筒状体であり、第二開口２２には突出部２３を有し、外側縁には内側歯ユニット１４と対応し噛合する外側歯ユニット２４を設け、外側縁には破壊誘導溝２５を設け、破壊誘導溝２５の第二開口２２近くの一端には連結体２６を設け、連結体２６によって外筒１の内側壁に連結する内筒２と、内筒２の内部に組み合わせられ、第一開口２１に近い一端にはピストン４１を備えるピストンロッド４と、を備える。【選択図】図２
2009254540.tif 000002
【特許請求の範囲】
【請求項１】
両側に開口のある空心筒状体の外筒であって、第一出口箇所及び第二出口箇所を設け、前記第一出口箇所の外側縁には突出部を有し、前記外筒の内側縁には内側歯ユニットを設ける外筒と、
第一開口及び第二開口を設け、前記外筒の内側縁に組み合わせる空心筒状体の内筒であって、第二開口には突出部を有し、前記内筒の外側縁には前記外筒の前記内側歯ユニットと対応し噛合する外側歯ユニットを設け、また、前記内筒の外側縁には破壊誘導溝を設け、前記破壊誘導溝の前記第二開口近くの一端には連結体を設け、前記連結体によって前記外筒の内側壁に連結する内筒と、
前記内筒の内部に組み合わせられ、前記内筒の前記第一開口に近い一端にはピストンを備えるピストンロッドと、
を備えることを特徴とする使い捨て安全注射器。
【請求項２】
前記外筒の前記内側歯ユニットと前記内筒の前記外側歯ユニットとは相互に組み合わせられる単一方向の歯止めであることを特徴とする請求項１に記載の使い捨て安全注射器。
【請求項３】
前記内筒の前記第一開口には更に針基を組み合わせ、前記針基には針管を組み合わせることを特徴とする請求項１に記載の使い捨て安全注射器。
【発明の詳細な説明】
【技術分野】
【０００１】
本発明は、使い捨て（破壊型一回式）安全注射器に関し、特に内側歯ユニットを備える外筒と外側歯ユニットを備える破壊誘導溝の内筒とを増設し、外筒と内筒との結合により制限性単一方向移動を生じ永久的破壊を行う破裂溝を形成する使い捨て安全注射器に関する。
【背景技術】
【０００２】
公知の一回式安全注射器において、特許文献１に開示された技術は一つの典型的な安全注射器の例であるが、この種の典型的な一回式安全注射器には一つの最大欠点がある。即ち、製品の構成部材が多すぎることによる生産コスト高であり、これにより、依然として医療機関の支持を受けられずにいる。設計は安全ではあるが、実施状況において非常に不便な点がある。主な原因は、コストの他に、医療人員が全て訓練や学習を行わなければ使用できない点にあり、よって、使用は、安全注射器を使用しないで習慣的に使用できる伝統的な注射器に偏ることになる。
【０００３】
現在の市場における一回式安全注射器は、主に次の三種に分けられる。
（１）底まで押して引き戻す切断式安全注射器。
（２）プッシュロッド回転収縮式安全注射器。
（３）リング回転切断式安全注射器。
この三種の一回式安全注射器の使用ステップは、一般の伝統的な注射器と同様であるが、針管を壊す設計部分を備えている。
【０００４】
図６は、公知の一回式注射器の操作ステップを示す図であり、前記の（１）底まで押して引き戻す切断式安全注射器である。注射完了時、プッシュロッドＣを底まで押すと針基Ｂと結合し、プッシュロッドＣを引き戻すと、即刻針管Ｂ１は注射器筒本体Ａ内に戻る。針管Ｂ１を注射器筒本体Ａに収容させた後、プッシュロッドＣを切断して針管Ｂ１を注射器筒本体Ａ内に残す。
【０００５】
図７は、別の公知の一回式注射器の操作ステップを示す図であり、前記の（２）プッシュロッド回転収縮式安全注射器である。注射完了時、プッシュロッドＣを３０度回転させプッシュロッドＣと針基Ｂとを結合した後、プッシュロッドＣを引き戻すと、即刻針管Ｂ１は注射器筒本体Ａ内に戻り、針管Ｂ１が注射器筒本体Ａに収容された後、プッシュロッドＣによって針管Ｂ１が圧して潰され、並びに針管Ｂ１は注射器筒本体Ａ内に残る。
【０００６】
図８は、公知の一回式注射器操作のステップを示す図であり、前記の（３）リング回転切断式安全注射器である。注射完了時、リングＤを回転しプッシュロッドＣと針基Ｂとを結合した後、プッシュロッドＣを引き戻すと、即刻針管Ｂ１が注射器筒本体Ａ内に戻り、針管Ｂ１が注射器筒本体Ａに収容された後、プッシュロッドＣを切断、針管Ｂ１を注射器筒本体Ａ内に残す。
【０００７】
しかしながら、前記の公知技術には次のような欠点がある。
（１）製品の構成部材が多すぎる故、生産コストが高すぎて、商業普及率の低迷を引き起こす。
（２）操作ステップが繁雑である故、簡単且つ直接的な操作方式に符合しない。
前記公知の一回式安全注射器は、操作が安全で重複使用を防止する為の基本的な要求を満たすことができるものの、使用時の繁雑なステップ及び高過ぎる生産コストにより具体的に産業応用力を発揮していないのが現状である。
【０００８】
【特許文献１】中華民国特許第４９２３２９号明細書
【発明の開示】
【発明が解決しようとする課題】
【０００９】
本発明の目的は、公知の一回式安全注射器の使用における繁雑なステップと高すぎる生産コスト等の欠点、及び、技術の実用化等方面で制限される問題を解決する使い捨て安全注射器を提供することにある。また、操作ステップを簡略化する目的を達成する使い捨て安全注射器を提供することにある。さらに、構成部材を簡素化して生産コストを削減し、安全保護及びリサイクル防止の必要な基本機能を達成する使い捨て安全注射器を提供することにある。
【課題を解決するための手段】
【００１０】
本発明の使い捨て安全注射器は、外筒、内筒、及びピストンロッドを備え、その内の外筒は、両側に開口のある空心筒状体であり、外筒には、第一出口箇所、及び第二出口箇所を設け、第一出口箇所の外側縁には突出部を設け、外筒の内側縁には内側歯ユニットを設ける。また内筒は、第一開口及び第二開口を備え且つ外筒内側縁に組み合わせる空心筒状体であり、第二開口には突出部を設け、内筒の外側縁には外筒の内側歯ユニットと対応して噛合する外側歯ユニットを設ける。また、内筒の外側縁には破壊誘導溝を設け、破壊誘導溝の第二開口近くの一端には連結体を設ける。並びに、連結体で外筒の内側壁に連結する。ピストンロッドは内筒の内部に組み合わせられ、内筒の第一開口に近いピストンロッドの一端にはピストンを備える。
外筒の内側歯ユニットと内筒の外側歯ユニットは相互に組み合わせられる単一方向の歯止めである。また、前記内筒の第一開口には、更に針基を組み合わせ、針基には針管を組み合わせ設置する。これにより、産業応用性における実際的な向上を促し且つ要求を満たすことにより、主観的客観的条件から見ても、莫大なビジネスチャンスをもたらすと考えられる。
本発明の使い捨て安全注射器は、医療人員による刺し傷比率を効果的に低下させ、医療産業における高需要が予期される故、本発明の市場占有率を効果的に向上させることができる。
【００１１】
（発明の効果）
本発明の具体的な特徴は次の通りである。
（１）製品構成部材の簡素化且つ構造の簡略化を図る。生産コストを大幅に削減し、使い捨ての低コストに符合するため、商業価値が高い。
（２）操作ステップの簡略化を図る。直感式の単一ステップであり、何れの使用者も何れの操作技巧も学ばずに即使用できるため、現在の医療人員の使用率と使用希望とを高める。
（３）外筒及び内筒のダブル突出部設計とし、更に操作において便利に力を加えられる。また、何れの再度嵌合動作をも行えず、操作過程において何れの使用者を刺し傷させる可能性がない。
（４）内筒の破壊誘導溝は、永久的な破裂溝を形成し、リサイクルを防止し、ＷＨＯの重複使用防止規定に完全に符合する。
（５）単一化ステップにより、安全保護及びリサイクルの二重メカニズム防止をする。
【発明を実施するための最良の形態】
【００１２】
図１に示すように、本発明の一実施形態による使い捨て安全注射器は、外筒１、内筒２、針基３、及びピストンロッド４を備える。
外筒１は、両側が開口の空心筒状体であり、外筒１には、第一出口箇所１１及び第二出口箇所１２を設け、第一出口箇所１１の外側縁には突出部１３を設け、外筒１の内側縁には内側歯ユニット１４を設ける（合わせて図２及び図３を参照）。
【００１３】
内筒２は、第一開口２１及び第二開口２２を備え、且つ外筒１内側縁に組み合わせられる空心筒状体であり、第二開口２２には突出部２３を設け、内筒２の外側縁には外筒１の内側歯ユニット１４に対応して噛合する外側歯ユニット２４を設ける。また、内筒２の外側縁には破壊誘導溝２５を設け、且つ、破壊誘導溝２５の第二開口２２近くの一端には連結体２６を設け、連結体２６によって外筒１の内側壁に連結する。
【００１４】
針基３は、針管３１を組み合わせる台体である。
ピストンロッド４は、内筒２の内部に組み合わせられ、内筒２の第一開口２１に近いピストンロッド４の一端にはピストン４１を備える。
外筒１の内側歯ユニット１４と内筒２の外側歯ユニット２４とは、どちらも単一方向移動を制限する単一方向の歯止めである。
【００１５】
図１及び図２に示すように、本発明の一実施形態による使い捨て安全注射器全体の特徴は、伝統的な注射器外部の上に外筒１を被せたことにあり、元々の注射器は即ち内筒２である。
外筒１と内筒２との間において内側歯ユニット１４及び外側歯ユニット２４はそれぞれ対応し噛合する。内筒２の第一開口２１外側には、針管３１を備える針基３を組み合わせ、内筒２の内側縁には前端にピストン４１を備えるピストンロッド４を組み合わせる。また、内筒２の外側縁には破壊誘導溝２５を設ける。
【００１６】
外筒１及び内筒２にはそれぞれ突出部１３、突出部２３を設け、外筒１の突出部１３は、外筒１を引っ張り内筒２から離す時に力を加える点となり、内筒２の突出部２３の作用は、一般注射器と同様、注射時にピストンロッド４（親指使用）を押し動かす場合に挟み持って力を加える（食指及び中指）のに用いられる。
針管３１を薬剤ガラス缶に挿し込み、並びにピストンロッド４を後方に引っ張って薬剤を抜き出し内筒２に進入させ、更にピストンロッド４を押し動かして注射を施す操作は全て一般の注射器と同様である。
【００１７】
図３及び図４に示すように、外筒１の内側歯ユニット１４と内筒２の外側歯ユニット２４との間は、単一方向移動を制限する単一方向の歯止めである（即ち、外筒１を引っ張り内筒２から離し針管３１を包み込んだ後は再び押し戻すことはできない）。
注射完了後、逆方向に力を加える（矢印で示したのが力を加える方向）方法によって外筒１の突出部１３及び内筒２の突出部２３をそれぞれ引っ張り、外筒１と内筒２とに逆方向の相対移動させて内筒２を動かす。内筒２内部のピストンロッド４が連動する針管３１を備える針基３は、外筒１の内部に収容され、外筒１が針管３１を包み込む安全状態を形成、針が突き刺す危険を防止する。
【００１８】
外筒１を引っ張り内筒２から離す時、内筒２の外側縁の破壊誘導溝２５は、連結体２６に沿って引っ張られ、並びに、内筒２の筒壁に破裂溝２７を形成する。同時に、単一方向移動制限のある単一方向の歯止めによって、内筒２は再び外筒１底部に押し戻すことができなくなる。
図５に示すように、内筒２の筒壁は、破壊誘導溝２５に沿って外筒１と内筒２とが相対移動する時に引っ張り上げられ、並びに内筒２の筒壁表面に破裂溝２７が出現、永久的破壊を形成する。使用者は再び薬物を充填できず、その重複使用が避けられる故、ＷＨＯにおける安全注射器注射針の重複使用防止設計に対する基準を達成する。
【００１９】
以上のように、本発明の一実施形態による使い捨て安全注射器は、特に内側歯ユニットを備える外筒と外側歯ユニット及び破壊誘導溝を備える内筒を増設することにより、外筒の内側歯ユニットと内筒の外側歯ユニットとを噛合させ、鋸歯状歯型の単一方向移動特性により制限される外筒を引っ張り内筒から離し針管を包み込むと、再び押し戻すことができなくなる。また、破壊誘導溝を使って外筒を引っ張り動かすのと同時に、永久的に破壊する破裂溝を形成、保護作用を起こし、針による突き刺しの危険を避ける他、注射器を再度リサイクル使用する感染危険を断絶することができ、最良の改良と設計を成し、本実施形態は、使い捨て安全注射器が成す最も具体的な改良である。
【図面の簡単な説明】
【００２０】
【図１】本発明の一実施形態による使い捨て安全注射器を示す一部切り欠き斜視図である。
【図２】本発明の一実施形態による使い捨て安全注射器を示す部分断面図である。
【図３】本発明の一実施形態による使い捨て安全注射器において、使用完了し外筒を引っ張り出した状態を示す部分断面図である。
【図４】本発明の一実施形態による使い捨て安全注射器において、使用完了し外筒を引っ張り出した状態を示す斜視図である。
【図５】本発明の一実施形態による使い捨て安全注射器において、破壊誘導溝を引っ張り上げ破裂溝を形成した状態を示す斜視図である。
【図６】公知の一回式注射器の操作を示す模式図である。
【図７】公知の一回式注射器の操作を示す模式図である。
【図８】公知の一回式注射器の操作を示す模式図である。
【符号の説明】
【００２１】
１：外筒、１１：第一出口箇所、１２：第二出口箇所、１３：突出部、１４：内側歯ユニット、２：内筒、２１：第一開口、２２：第二開口、２３：突出部、２４：外側歯ユニット、２５：破壊誘導溝、２６：連結体、２７：破裂溝、３：針基、３１：針管、４：ピストンロッド、４１：ピストン
【図１】
2009254540.tif 000003
【図２】
2009254540.tif 000004
【図３】
2009254540.tif 000005
【図４】
2009254540.tif 000006
【図５】
2009254540.tif 000007
【図６】
2009254540.tif 000008
【図７】
2009254540.tif 000009
【図８】
2009254540.tif 000010